(57)【要約】【課題】  親機部により送信したい文書情報を子機部からワンタッチ指示して相手先へファクシミリ送信できる機能を備えたファクシミリ装置を提供すること。【解決手段】  このファクシミリ装置１の場合、親機部７において、番号識別部１３がメモリ部９に一時記憶された相手先に該当する指示番号（子機部２の操作部４によりワンタッチで入力指示されて親子間制御部６，１２を介して送受信されたもの）と文書格納部１０に格納されている登録済みの相手先番号（複数の異なる文書情報を予め登録済みの相手先番号に対応させて幾つかに分けて蓄積したもの）とが一致するか否かを判定し、主制御部８がその判定結果により一致すれば相手先番号に対応する文書情報を通信制御部１１，データ送信部１１を介してモデム部１５経由で相手先へ自動的にファクシミリ送信し、一致しなければ子機部２へアラートを表示させて再入力を行わせるように再入力用情報を送信する。【選択図】  図１
2005252377.tif 000002
【特許請求の範囲】
【請求項１】
画像データによる文書情報を相手先へ送信可能な親機部と、前記親機部に対してデータ通信可能な子機部とを備えたファクシミリ装置において、前記親機部は、前記文書情報として複数の異なるものを予め登録済みの相手先識別子に対応させてそれぞれ幾つかのものに分けて蓄積するように格納した文書格納部と、前記子機部によりワンタッチで入力指示されて送信された相手先に該当する指示識別子の受信したものを一時記憶するためのメモリ部と、前記メモリ部に一時記憶された前記指示識別子と前記文書格納部に格納されている前記登録済みの前記相手先識別子とが一致するか否かを判定する識別子判定部と、前記識別子判定部による判定結果に応じて前記指示識別子及び前記相手先識別子が一致する場合には前記文書情報にあっての該相手先識別子に対応するものを相手先へ自動的にファクシミリ送信し、一致しない場合には前記子機部に対してアラートを表示させて再入力操作を行わせるように再入力用情報を送信する情報通信制御部とを備えたことを特徴とするファクシミリ装置。
【請求項２】
請求項１記載のファクシミリ装置において、前記子機部は、前記指示識別子を操作入力するための操作部と、前記操作部により操作入力された前記指示識別子、及び前記情報通信制御部から送信された前記再入力用情報の受信されたものを表示する表示部とを備えたことを特徴とするファクシミリ装置。
【請求項３】
請求項２記載のファクシミリ装置において、前記操作部は、前記指示識別子としての指示番号を操作入力可能なテンキーを含むものであり、前記文書格納部は、前記文書情報を前記相手先識別子としての相手先番号に対応させて格納しており、前記メモリ部は、前記相手先番号に対応する前記操作部から送信された前記指示番号の受信されたものを一時記憶するものであり、前記識別子判定部は、前記指示番号と前記相手先番号とが一致するか否かを識別する番号識別部であり、前記情報通信制御部は、前記番号識別部による判定結果に応じて前記指示番号及び前記相手先番号が一致する場合には前記文書情報にあっての前記相手先番号に対応するものを相手先へ自動的にファクシミリ送信し、一致しない場合には前記子機部に対して前記再入力用情報を送信することを特徴とするファクシミリ装置。
【請求項４】
請求項３記載のファクシミリ装置において、前記親機部は、前記相手先番号に該当する番号データを予め電話帳として蓄積登録するための電話帳データ蓄積部と、前記相手先番号が前記電話帳に蓄積登録されているか否かを識別する電話帳データ識別部とを備え、前記情報通信制御部は、前記電話帳データ識別部による判定結果に応じて前記相手先番号が前記電話帳に蓄積登録されている場合には予め定められた定型文を前置きとして添付するようにして前記文書情報にあっての前記相手先番号に対応するものを相手先へ自動的にファクシミリ送信することを特徴とするファクシミリ装置。
【請求項５】
請求項４記載のファクシミリ装置において、前記定型文は、前記文書情報のうちの前記複数の異なるもの毎に種別対応して添付されるように種別なものが予め前記文書格納部に格納されるか、或いは前記メモリ部に記憶されていることを特徴とするファクシミリ装置。
【請求項６】
請求項４又は５記載のファクシミリ装置において、前記情報通信制御部は、前記電話帳データ識別部による判定結果に応じて前記相手先番号が前記電話帳に蓄積登録されていない場合には前記定型文を添付せずに前記文書情報にあっての前記相手先番号に対応するものを相手先へ自動的にファクシミリ送信することを特徴とするファクシミリ装置。
【発明の詳細な説明】
【技術分野】
【０００１】
本発明は、主として画像データによる文書情報を相手先へ送信可能な親機部、及びこの親機部に対してデータ通信可能な子機部を備えたファクシミリ装置に関し、詳しくは親機部により相手先へ送信したい文書情報を子機部からワンタッチ指示するだけで自動的にファクシミリ送信を行うことができる機能を備えたファクシミリ装置に関する。
【背景技術】
【０００２】
従来、ファクシミリ装置の本体から離れた場所からファクシミリ送信を行わせるための技術として、様々なタイプのものが開発されている。例えば親機で原稿の有無を検出した結果を子機の表示手段に表示させることにより子機からの指示でファクシミリ送信を行うもの（特許文献１参照）、コードレス電話子機から送信された画像データを受信したコードレス電話親機が印字ブロックによりコピーを行い、且つ制御回路によりモデムを介して回線経由で送信するもの（特許文献２参照）、親機と子機との間の通信速度よりも親機とファクシミリ通信の相手側との通信速度を高速化して通信時間の短縮化を図ったもの（特許文献３参照）等がある。
【０００３】
その他、親機部で受信した電子メールを子機部へ転送可能であると共に、電子メールを子機部に転送できない場合でも他の通信装置へ転送することが可能なもの（特許文献４参照）、共通に使用できる画像情報を親機内に蓄積しておき、親機で送信の都度読み取らなくても送信できるようにしたもの（特許文献５参照）、子機からの指示によりファクシミリ装置の本体に記憶されている複数の画像データの内容を確認すると共に、送信したい画像データを選択してファクシミリ装置の本体から送信できるもの（特許文献６参照）等がある。
【０００４】
【特許文献１】特開平５−８３４５８号公報（要約）
【特許文献２】特開平５−１３６９３１号公報（要約）
【特許文献３】特開平１０−１６４２６４号公報（要約、第９頁）
【特許文献４】特開２００２−１１１９３７号公報（要約）
【特許文献５】特開平９−１８６７８８号公報（要約）
【特許文献６】特開２００３−８７４５５号公報（要約）
【発明の開示】
【発明が解決しようとする課題】
【０００５】
上述した特許文献１〜特許文献６のファクシミリ装置に係る技術の場合、概ね子機から親機へ送信させたい文書情報を指示するだけのものであり、相手先へファクシミリ送信させる手段について殆ど考慮されていないため、子機からの指示により親機から相手先へ所望の文書情報を簡易に送信させることができないという不便さがある。例えば比較的機能が豊富な特許文献６のファクシミリ装置に係る技術においても、予め親機側で記憶した複数の画像データを子機へ送信して子機側で送信したい画像データを指示選択することにより親機側での確認を経てファクシミリ送信できるものであるが、相手先をワンタッチで決定した上で自動的にファクシミリ送信を行うことができないため、簡易に相手先へファクシミリ送信を行うことができないという不便さがある。
【０００６】
本発明は、このような問題点を解決すべくなされたもので、その技術的課題は、親機部により送信したい文書情報を子機部からワンタッチ指示するだけで簡易に相手先へファクシミリ送信を行うことができる機能を備えたファクシミリ装置を提供することにある。
【課題を解決するための手段】
【０００７】
本発明によれば、画像データによる文書情報を相手先へ送信可能な親機部と、親機部に対してデータ通信可能な子機部とを備えたファクシミリ装置において、親機部は、文書情報として複数の異なるものを予め登録済みの相手先識別子に対応させてそれぞれ幾つかのものに分けて蓄積するように格納した文書格納部と、子機部によりワンタッチで入力指示されて送信された相手先に該当する指示識別子の受信したものを一時記憶するためのメモリ部と、メモリ部に一時記憶された指示識別子と文書格納部に格納されている登録済みの相手先識別子とが一致するか否かを判定する識別子判定部と、識別子判定部による判定結果に応じて指示識別子及び相手先識別子が一致する場合には文書情報にあっての該相手先識別子に対応するものを相手先へ自動的にファクシミリ送信し、一致しない場合には子機部に対してアラートを表示させて再入力を行わせるように再入力用情報を送信する情報通信制御部とを備えたファクシミリ装置が得られる。
【０００８】
又、本発明によれば、上記ファクシミリ装置において、子機部は、指示識別子を操作入力するための操作部と、操作部により操作入力された指示識別子、及び情報通信制御部から送信された再入力用情報の受信されたものを表示する表示部とを備えたファクシミリ装置が得られる。
【０００９】
更に、本発明によれば、上記ファクシミリ装置において、操作部は、指示識別子としての指示番号を操作入力可能なテンキーを含むものであり、文書格納部は、文書情報を相手先識別子としての相手先番号に対応させて格納しており、メモリ部は、相手先番号に対応する操作部から送信された指示番号の受信されたものを一時記憶するものであり、識別子判定部は、指示番号と相手先番号とが一致するか否かを識別する番号識別部であり、情報通信制御部は、番号識別部による判定結果に応じて指示番号及び相手先番号が一致する場合には文書情報にあっての相手先番号に対応するものを相手先へ自動的にファクシミリ送信し、一致しない場合には子機部に対して再入力用情報を送信するファクシミリ装置が得られる。
【００１０】
加えて、本発明によれば、上記ファクシミリ装置において、親機部は、相手先番号に該当する番号データを予め電話帳として蓄積登録するための電話帳データ蓄積部と、相手先番号が電話帳に蓄積登録されているか否かを識別する電話帳データ識別部とを備え、情報通信制御部は、電話帳データ識別部による判定結果に応じて相手先番号が電話帳に蓄積登録されている場合には予め定められた定型文を前置きとして添付するようにして文書情報にあっての相手先番号に対応するものを相手先へ自動的にファクシミリ送信するファクシミリ装置が得られる。
【００１１】
一方、本発明によれば、上記ファクシミリ装置において、定型文は、文書情報のうちの複数の異なるもの毎に種別対応して添付されるように種別なものが予め文書格納部に格納されるか、或いはメモリ部に記憶されているファクシミリ装置が得られる。
【００１２】
他方、本発明によれば、上記ファクシミリ装置において、情報通信制御部は、電話帳データ識別部による判定結果に応じて相手先番号が電話帳に蓄積登録されていない場合には定型文を添付せずに文書情報にあっての相手先番号に対応するものを相手先へ自動的にファクシミリ送信するファクシミリ装置が得られる。
【発明の効果】
【００１３】
本発明のファクシミリ装置の場合、親機部側において、識別子判定部がメモリ部に一時記憶された相手先に該当する指示識別子（子機部側によりワンタッチで入力指示されて送信されたもの）と文書格納部に格納されている登録済みの相手先識別子（複数の異なる文書情報を予め登録済みの相手先識別子に対応させて幾つかに分けて蓄積したもの）とが一致するか否かを判定し、情報通信制御部がその判定結果に応じて一致すれば相手先識別子に対応する文書情報を相手先へ自動的にファクシミリ送信し、一致しなければ子機部へアラートを表示させて再入力を行わせるように再入力用情報を送信するため、送信したい文書情報を親機部側のダイヤルボタンからの送信操作ではなく、子機部側からワンタッチ指示するだけで親機部側に蓄積されている幾つかの文書の中から該当する文書情報が自動的に選択されて簡易に相手先へファクシミリ送信を行うことができる機能が構築され、従来に無くファクシミリ送信が機能性高く簡便に行われるようになる。即ち、本発明のファクシミリ装置では、相手先へ送信したい文書情報が予め相手先識別子（相手先番号）に対応して既に親機部側に登録されており、子機部側の使用者が自分で文書情報を入力する必要が無いため、有効な利用例として一人暮らしの寝た切り老人や身体の不自由な人が家族等に健康状態を連絡する場合が挙げられる。こうした用途では、例えば健康状態を予め幾つかの文書情報として分けて蓄積しておき、子機部側から指示番号を操作入力して親機部側へ送信するだけで親機部側が送信したい相手先番号に対応する健康状態に適合する文書情報（文書内容）を相手先に送信するため、老人や身体の不自由な者でも親機部の設置場所まで行かずに直接相手と話をしなくても、簡単にファクシミリ送信を行って病状を伝えることができるため、極めて有効となる。
【発明を実施するための最良の形態】
【００１４】
本発明の最良の形態に係るファクシミリ装置は、画像データによる文書情報を相手先へ送信可能な親機部と、親機部に対してデータ通信可能な子機部とを備えた基本構成において、親機部は、文書情報として複数の異なるものを予め登録済みの相手先識別子に対応させてそれぞれ幾つかのものに分けて蓄積するように格納した文書格納部と、子機部によりワンタッチで入力指示されて送信された相手先に該当する指示識別子の受信したものを一時記憶するためのメモリ部と、メモリ部に一時記憶された指示識別子と文書格納部に格納されている登録済みの相手先識別子とが一致するか否かを判定する識別子判定部と、識別子判定部による判定結果に応じて指示識別子及び相手先識別子が一致する場合には文書情報にあっての相手先識別子に対応するものを相手先へ自動的にファクシミリ送信し、一致しない場合には子機部に対してアラートを表示させて再入力を行わせるように再入力用情報を送信する情報通信制御部とを備え、子機部は、指示識別子を操作入力するための操作部と、操作部により操作入力された指示識別子、及び情報通信制御部から送信された再入力用情報の受信されたものを表示する表示部とを備えたものである。
【００１５】
但し、このファクシミリ装置において、操作部を指示識別子としての指示番号を操作入力可能なテンキーを含むものとし、文書格納部については文書情報を相手先識別子としての相手先番号に対応させて格納しているものとすることが好ましい。この場合、メモリ部は相手先番号に対応する操作部から送信された指示番号の受信されたものを一時記憶するものとし、識別子判定部は、指示番号と相手先番号とが一致するか否かを識別する番号識別部とし、情報通信制御部は、番号識別部による判定結果に応じて指示番号及び相手先番号が一致する場合には文書情報にあっての相手先番号に対応するものを相手先へ自動的にファクシミリ送信し、一致しない場合には子機部に対して再入力用情報を送信するようにすることが好ましい。
【実施例１】
【００１６】
図１は、本発明の実施例１に係るファクシミリ装置１の基本構成を示したブロック図である。このファクシミリ装置１は、画像データによる文書情報を相手先へ送信可能な親機部７と、親機部７に対してデータ通信可能な子機部２とを備えた基本構成となっている。
【００１７】
このうち、親機部７は、文書情報として複数の異なるものを予め登録済みの相手先番号に対応させてそれぞれ幾つかのものに分けて蓄積するように格納した文書格納部１０と、子機部２によりワンタッチで入力指示されて送信された相手先に該当する指示番号の受信したものを一時記憶するためのメモリ部９と、メモリ部９に一時記憶された指示番号と文書格納部１０に格納されている登録済みの相手先番号とが一致するか否かを判定する番号識別部１３と、番号識別部１３による判定結果に応じて指示番号及び相手先番号が一致する場合には文書情報にあっての相手先番号に対応するものを相手先へ自動的にファクシミリ送信し、一致しない場合には子機部２に対してアラートを表示させて再入力を行わせるように再入力用情報を送信する情報通信制御部とを備えている。
【００１８】
但し、ここでの情報通信制御部は、モデム部１５を介して相手先へファクシミリ送信を行うデータ送信部１１と、子機部２との間で通信を行うための親子間制御部１２と、データ送信部１１及び親子間制御部１２の通信制御を行う通信制御部１４と、プログラム制御により動作して各部を動作制御する主制御部８とが協働した機能を示すものである。尚、親機部７に備えられた親子間制御部１２は、子機部２との間のインターフェースとして働く。
【００１９】
これに対し、子機部２は、指示番号を操作入力するための操作部４と、親機部７の親子間制御部１２との間で通信を行って再入力用情報を受信する親子間制御部６と、操作部４により操作入力された指示番号、及び親子間制御部６で受信された再入力用情報を表示する表示部５と、プログラム制御により動作して各部を動作制御する主制御部３とを備えている。尚、子機部２に備えられた親子間制御部６は、親機部７との間のインターフェースとして働く。又、親機部７における文書格納部１０には、子機部２や他のファクシミリ装置から受信した文書情報や親機部７のキーボードで入力した文書情報が異なる複数のものとして幾つかに分けられて蓄積格納されている。
【００２０】
図２は、このファクシミリ装置１に備えられる子機部２及び親機部７の間の動作処理を示したフローチャートである。
【００２１】
このファクシミリ装置１の場合、動作処理に際して、先ず子機部２の操作部４により指示番号を操作入力することにより子機部２で相手先に該当する番号を選択（ステップＳ１）する処理を行うと、親子間制御部６が親機部７の親子間制御部１２を介して主制御部８へ指示番号を通知することにより子機部２から親機部７へ指示番号を通知（ステップＳ２）する処理が行われ、主制御部８がメモリ部９へ指示番号を一時記憶する。
【００２２】
次に、主制御部８は、番号識別部１３へ番号照合の指示を行い、番号識別部１３では主制御部８からの番号照合の指示に従ってメモリ部９内に一時記憶された子機部２からの指示番号が親機部７の文書格納部１０に格納されている文書情報の相手先番号と一致するか否かの判定（ステップＳ３）を行う。この結果、一致していれば主制御部８が選択された指示番号に該当する親機部７の文書格納部１０に格納された文書情報を相手先へファクシミリ送信（ステップＳ４）する旨を通信制御部１４へ指示し、通信制御部１４がデータ送信部１１を制御してモデム部１５経由で文書情報を相手先へファクシミリ送信するが、一致していなければ子機部２に対してアラートを表示させて再入力を行わせるように再入力用情報の送信（ステップＳ５）を行わせる旨を通信制御部１４へ指示し、通信制御部１４が親子間制御部１２を介して子機部２側の親子間制御部６へ再入力用情報を送信し、子機部２の主制御部３が表示部４に再入力用情報を表示させ、この後は子機部２で相手先に該当する番号を選択（ステップＳ１）する処理の前にリターンして待機する。
【００２３】
因みに、文書格納部１０に格納されている各文書情報には文書毎に予め相手先番号がそれぞれ登録されており、それぞれの文書情報に対応する子機部２のダイヤルボタン番号（例えば文書情報１であれば子機部２のダイヤルボタン１）を押下すると固有な相手先が自動的に決定されるようになっている。
【００２４】
このようなファクシミリ装置１の場合、子機部２から親機部７に対して送信したい文書情報を指示番号としてワンタッチ操作により指示入力するだけで親機部７が自動的に指示番号に対応する文書情報を相手先にファクシミリ送信するため、親機部７側におけるダイヤルボタンの入力操作の必要がなく、如何なるときでも送信したい文書情報のみを即座にファクシミリ送信することができる。特に子機部２をファクシミリ送信の指示機能として使用することができるため、場所を要すること無く自由な場所からファクシミリ送信を行うことができる。尚、このような子機部２からのワンタッチ操作により親機部７で自動的に指示番号に対応する文書情報を相手先にファクシミリ送信する機能は、その他の周知な機能と比べて特殊な用途となるため、この機能を働かせるために一般的には子機部２の操作部４において専用モードのキーを設けて機能設定できるようにすることが好ましい。
【実施例２】
【００２５】
図３は、本発明の実施例２に係るファクシミリ装置１′の基本構成を示したブロック図である。このファクシミリ装置１′の場合も、図１に示した実施例１の装置と比べて画像データによる文書情報を相手先へ送信可能な親機部７′と、親機部７′に対してデータ通信可能な子機部２とを備えた基本構成は同じであるが、ここでの親機部７′には相手先番号に該当する番号データを予め電話帳として蓄積登録するための電話帳データ蓄積部１６と、相手先番号が電話帳に蓄積登録されているか否かを識別する電話帳データ識別部１７とが備えられ、情報通信制御部として働く各部（主として主制御部３が担う）が電話帳データ識別部１７による判定結果に応じて相手先番号が電話帳に蓄積登録されている場合には予め定められた定型文を前置きとして添付するようにして文書情報にあっての相手先番号に対応するものを相手先へ自動的にファクシミリ送信する点が実施例１の装置と比べて相違している。
【００２６】
図４は、このファクシミリ装置１′に備えられる子機部２及び親機部７′の間の動作処理を示したフローチャートである。このファクシミリ装置１′における動作処理の場合、子機部２からの指示番号が親機部７の文書格納部１０に格納されている文書情報の相手先番号と一致するか否かの判定（ステップＳ３）を行うまでの処理と、その判定処理で一致しなければ子機部２に対してアラートを表示させて再入力を行わせるように再入力用情報の送信（ステップＳ７）を行わせた後、子機部２で相手先に該当する番号を選択（ステップＳ１）する処理の前にリターンして待機する点は図２で説明した実施例１に係る装置の場合と同様であるので、細部の説明は省略する。
【００２７】
このファクシミリ装置１′の場合、電話帳データ蓄積部１６に予め相手先番号に該当する番号データが電話帳として蓄積登録可能な使用条件にあるもので、上述した子機部２からの指示番号が親機部７の文書格納部１０に格納されている文書情報の相手先番号と一致するか否かの判定（ステップＳ３）の結果、一致している場合に主制御部８が電話帳データ識別部１７へ番号照合の指示を行い、電話帳データ識別部１７では相手先番号が電話帳に登録されているか否かを判定（ステップＳ４）する。この結果、登録されていれば主制御部８が予め文書格納部１０に格納されるか、或いはメモリ部９に記憶されている定められた定型文を前置きとして添付（ステップＳ５）するようにしてから登録されていない場合と同様に選択された指示番号に該当する親機部７の文書格納部１０に格納された文書情報を相手先へファクシミリ送信（ステップＳ６）する旨を通信制御部１４へ指示し、通信制御部１４がデータ送信部１１を制御してモデム部１５経由で文書情報を相手先へファクシミリ送信する。尚、ここでの定型文は、文書情報のうちの複数の異なるもの毎に種別対応して添付されるように種別なものを文書格納部１０に格納しておくか、或いはメモリ部９に記憶しておくことも可能である。
【００２８】
このようなファクシミリ装置１′の場合においても、先の実施例１の場合と同様に子機部２から親機部７′に対して送信したい文書情報を指示番号としてワンタッチ操作により指示入力するだけで親機部７′が自動的に指示番号に対応する文書情報を相手先にファクシミリ送信するため、実施例１の場合と同様な機能並びに効果が得られる。
【図面の簡単な説明】
【００２９】
【図１】本発明の実施例１に係るファクシミリ装置の基本構成を示したブロック図である。
【図２】図１に示すファクシミリ装置に備えられる子機部及び親機部の間の動作処理を示したフローチャートである。
【図３】本発明の実施例２に係るファクシミリ装置の基本構成を示したブロック図である。
【図４】図３に示すファクシミリ装置に備えられる子機部及び親機部の間の動作処理を示したフローチャートである。
【符号の説明】
【００３０】
１，１′    ファクシミリ装置
２    子機部
３，８    主制御部
４    操作部
５    表示部
６，１２    親子間制御部
７，７′    親機部
９    メモリ部
１０    文書格納部
１１    データ送信部
１３    番号識別部
１４    通信制御部
１５    モデム部
１６    電話帳データ蓄積部
１７    電話帳データ識別部
【図１】
2005252377.tif 000003
【図２】
2005252377.tif 000004
【図３】
2005252377.tif 000005
【図４】
2005252377.tif 000006